【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
記憶回路２、情報制御回路３、主演算回路４および外部検査装置９との検査用インターフェース回路６を備え、
前記記憶回路２は、
当該集積回路１の通常利用時に前記主演算回路４とアクセスされ、複数の領域に分割定義された通常記憶領域２１と、
前記複数の領域に対してそれぞれ定義された前記通常記憶領域２１のアクセスレベルが記憶されたアクセスレベル記憶領域２２と、
前記アクセスレベル記憶領域２２のアクセスレベルを変更するために入力された解除キーを記憶する解除キー入力領域２３と、
前記解除キーの一致を判定するために参照される解除キー参照領域２４を備えており、
前記情報制御回路３は、
前記外部検査装置９と前記検査用インターフェース回路６との接続を監視して接続が認められたときには前記解除キー入力領域２３の記憶内容を消去し、
前記アクセスレベル記憶領域２２に記憶されたアクセスレベルに応じて前記通常記憶領域２１で分割定義されたそれぞれの領域に対する前記検査用インターフェース回路６からのアクセスを開放し、
前記解除キー入力領域２３と前記解除キー参照領域２４の内容に基づいて前記検査用インターフェース回路６から前記アクセスレベル記憶領域２２へのアクセスを制御するようにした、
データ保護機能付き集積回路。
【請求項２】
前記検査用インターフェース回路６は、前記外部検査装置９と接続されたときに接続検出信号６１を送信する検出信号送信回路６２を備え、
前記情報制御回路３は、
前記接続検出信号６１に基づいて前記解除キー入力領域２３の記憶内容を消去する信号消去回路３１と、
前記アクセスレベル記憶領域２２を参照してそのアクセスレベルに基づいて前記通常記憶領域２１で分割定義されたそれぞれの領域に対する前記検査用インターフェース回路６からのアクセスを許可する通常記憶領域アクセス制御回路３２と、
前記解除キー入力領域２３と前記解除キー参照領域２４を参照してその内容が同一のときにのみ前記検査用インターフェース回路６から前記アクセスレベル記憶領域２２への書き込みを許可するアクセスレベル制御回路３３と、
を備える請求項１に記載のデータ保護機能付き集積回路。
【請求項３】
記憶回路２、情報制御回路３、主演算回路４、解除回路５および外部検査装置９との検査用インターフェース回路６を備え、
前記記憶回路２は、
当該集積回路１の通常利用時に前記情報制御回路３を経由して前記主演算回路４とアクセスされ、複数の領域に分割定義された通常記憶領域２１と、
前記複数の領域に対してそれぞれ定義された前記通常記憶領域２１のアクセスレベルが記憶されたアクセスレベル記憶領域２２と、
前記アクセスレベル記憶領域２２のアクセスレベルを変更するために入力された解除キーを記憶する解除キー入力領域２３と、
前記解除キーの一致を判定するために参照される解除キー参照領域２４を備えており、
前記情報制御回路３は、
前記外部検査装置９と前記検査用インターフェース回路６との接続を監視して接続が認められたときには前記解除キー入力領域２３の記憶内容を消去し、
前記アクセスレベル記憶領域２２に記憶されたアクセスレベルに応じて前記通常記憶領域２１で分割定義されたそれぞれの領域に対する前記検査用インターフェース回路６からのアクセスを開放し、
前記解除キー入力領域２３と前記解除キー参照領域２４の内容に基づいて前記検査用インターフェース回路６から前記アクセスレベル記憶領域２２へのアクセスを制御するようになっており、
前記解除回路５は、当該集積回路１の起動時に前記解除キー参照領域２４を参照してその内容を前記解除キー入力領域２３へ書き込むようにした、
データ保護機能付き集積回路。
【請求項４】
前記検査用インターフェース回路６は、前記外部検査装置９と接続されたときに接続検出信号６１を送信する検出信号送信回路６２を備え、
前記情報制御回路３は、
前記接続検出信号６１に基づいて前記解除キー入力領域２３の記憶内容を消去する信号消去回路３１と、
前記アクセスレベル記憶領域２２を参照してそのアクセスレベルに基づいて前記通常記憶領域２１で分割定義されたそれぞれの領域に対する前記検査用インターフェース回路６からのアクセスを許可する通常記憶領域アクセス制御回路３２と、
前記解除キー入力領域２３と前記解除キー参照領域２４を参照してその内容が同一のときにのみ前記検査用インターフェース回路６から前記アクセスレベル記憶領域２２への書き込みおよび前記通常記憶領域２１に対する前記検査用インターフェース回路６からのアクセスを許可するアクセスレベル制御回路７３と、
を備える請求項３に記載のデータ保護機能付き集積回路。
【請求項５】
記憶回路２、主演算回路４および外部検査装置９との検査用インターフェース回路６を備え、
前記記憶回路２はさらに、
当該集積回路１の通常利用時に前記主演算回路４とアクセスされ、複数の領域に分割定義された通常記憶領域２１と、
前記複数の領域に対してそれぞれ定義された前記通常記憶領域２１のアクセスレベルが記憶されたアクセスレベル記憶領域２２と、
前記アクセスレベル記憶領域２２のアクセスレベルを変更するために入力された解除キーを記憶する解除キー入力領域２３と、
前記解除キーの一致を判定するために参照される解除キー参照領域２４と、
を備えた集積回路１において、
集積回路１が起動した後に、前記検査用インターフェース回路６に前記外部検査装置９が接続されたか否かを検出するステップＳ１０１と、
前記外部検査装置９が接続されなかった場合には、前記主演算回路４と前記通常記憶領域２１との間で、前記集積回路１の通常利用を開始させるステップＳ１０２と、
前記外部検査装置９が接続された場合には、直ちに前記解除キー入力領域２３の記憶内容を消去するステップＳ１０３と、
前記外部検査装置９からの要求に応じて、解除キーを解除キー入力領域２３に記憶させるステップＳ１０４と、
前記解除キー入力領域２３と前記解除キー参照領域２４の記憶内容が同一の時には、前記外部検査装置９からの要求に応じて、前記アクセスレベル記憶領域２２に記録されたアクセスレベルの変更を許可するステップＳ１０５と、
前記アクセスレベル記憶領域２２に記録されたアクセスレベルに応じて前記外部検査装置９から通常記憶領域２１で分割定義されたそれぞれの領域へのアクセスを制御するステップＳ１０６と、
を備えるデータ保護機能付き集積回路用のデータ保護プログラム。
【請求項６】
記憶回路２、主演算回路４、解除回路５および外部検査装置９との検査用インターフェース回路６を備え、
前記記憶回路２はさらに、
当該集積回路１の通常利用時に前記主演算回路４とアクセスされ、複数の領域に分割定義された通常記憶領域２１と、
前記複数の領域に対してそれぞれ定義された前記通常記憶領域２１のアクセスレベルが記憶されたアクセスレベル記憶領域２２と、
前記アクセスレベル記憶領域２２のアクセスレベルを変更するために入力された解除キーを記憶する解除キー入力領域２３と、
前記解除キーの一致を判定するために参照される解除キー参照領域２４と、
を備えた集積回路１において、
集積回路１が起動した後に、前記解除回路５が前記解除キー参照領域２４の記憶内容を参照してその内容を前記解除キー入力領域２３に記憶させるステップＳ２０１と、
前記検査用インターフェース回路６に前記外部検査装置９が接続されたか否かを検出するステップＳ２０２と、
前記外部検査装置９が接続された場合には、直ちに前記解除キー入力領域２３の記憶内容を消去するステップＳ２０３と、
前記外部検査装置９からの要求に応じて、解除キーを解除キー入力領域２３に記憶させるステップＳ２０４と、
前記解除キー入力領域２３と前記解除キー参照領域２４の記憶内容が同一の時には、前記外部検査装置９からの要求に応じて、前記アクセスレベル記憶領域２２に記録されたアクセスレベルの変更を許可するステップＳ２０５と、
前記アクセスレベル記憶領域２２に記録されたアクセスレベルに応じて前記外部検査装置９から通常記憶領域２１で分割定義されたそれぞれの領域へのアクセスを制御するステップＳ２０６と、
前記解除キー入力領域２３と前記解除キー参照領域２４の記憶内容が同一の時には、前記主演算回路４に通常記憶領域２１のアクセスを許可するステップＳ２０７と、
を備えるデータ保護機能付き集積回路用のデータ保護プログラム。